(57)【要約】【課題】蓄電池の交換作業性をより向上させることのできる照明装置を得る。【解決手段】照明装置１０は、光源３０と、蓄電池７０と、光源３０および蓄電池７０が収容される収容空間Ｓ１が形成されたケース２０と、を備えている。また、収容空間Ｓ１は、光源３０が収容される光源室Ｓ２と、蓄電池７０が収容される電池室Ｓ３と、を備えている。また、ケース２０は、照射部２３５を有する光源室側のケース部２３０と、光源室側のケース部２３０と一体的に形成された電池室側のケース部２４０と、を備えている。そして、電池室側のケース部２４０は、ケース２０を被設置部１ａに設置した状態で蓄電池７０の出し入れが可能な開口部２４１ａが形成された電池室側のケース本体２４１と、電池室側のケース本体２４１の開口部２４１ａを開閉可能に覆う電池室側のパネル２４５と、を備えている。【選択図】図８
2019071228.tif 000002
【特許請求の範囲】
【請求項１】
光源と、
前記光源に予備の電力を供給する蓄電池と、
前記光源および前記蓄電池が収容される収容空間が形成され、被設置部に設置されるケースと、
を備え、
前記収容空間は、前記光源が収容される光源室と、前記光源室とは区画され、前記蓄電池が収容される電池室と、を備え、
前記ケースは、前記光源室が形成された光源室側のケース部と、前記電池室が形成され、前記光源室側のケース部と一体的に形成された電池室側のケース部と、を備え、
前記光源室側のケース部は、前記光源から出射された光を外部に照射する照射部を備え、
前記電池室側のケース部は、前記ケースを前記被設置部に設置した状態で前記蓄電池の出し入れが可能な開口部が形成された電池室側のケース本体と、前記電池室側のケース本体の開口部を開閉可能に覆う電池室側のパネルと、を備えることを特徴とする照明装置。
【請求項２】
前記電池室側のケース部における前記被設置部に設置される側とは反対側に前記電池室側のパネルが配置されていることを特徴とする請求項１に記載の照明装置。
【請求項３】
前記電池室側のパネルが金属材料で形成されていることを特徴とする請求項１または請求項２に記載の照明装置。
【請求項４】
前記電池室側のパネルは、ボルトによって電池室側のケース本体に取り外し可能に取り付けられていることを特徴とする請求項１〜３のうちいずれか１項に記載の照明装置。
【請求項５】
前記光源室側のケース部は、前記ケースを前記被設置部に設置した際に、前記被設置部に設置される側とは反対側に開口する光源室側のケース本体と、光透過性を有し、前記光源室側のケース本体の開口部を覆う前記照射部としての光源室側のパネルと、を備えることを特徴とする請求項１〜４のうちいずれか１項に記載の照明装置。
【請求項６】
前記光源室側のパネルがガラス材料で形成されていることを特徴とする請求項５に記載の照明装置。
【請求項７】
前記光源室側のパネルは、ボルトによって光源室側のケース本体に取り外し可能に取り付けられていることを特徴とする請求項５または請求項６に記載の照明装置。
【請求項８】
前記ケースは、前記収容空間を前記光源室と前記電池室とに区画する隔壁部を備え、
前記収容空間が気密性を有しており、
前記隔壁部には、前記光源室と前記電池室とを連通する連通孔が形成されていることを特徴とする請求項１〜７のうちいずれか１項に記載の照明装置。
【請求項９】
前記光源室側のケース部と前記電池室側のケース部とを一体化させた状態で、前記光源室側のケース部の外面と前記電池室側のケース部の外面とが略面一となることを特徴とする請求項１〜８のうちいずれか１項に記載の照明装置。
【発明の詳細な説明】
【技術分野】
【０００１】
本開示は、照明装置に関する。
【背景技術】
【０００２】
従来、照明装置として、光源と、光源が収容される収容空間が形成されたケースと、を備え、商用電源等の外部電源から供給される電力によって光源を発光させるようにしたものが知られている（例えば、特許文献１参照）。
【０００３】
この特許文献１には、外部電源から光源への電力の供給が停止した場合（例えば、停電時等）に、光源に電力を供給可能な蓄電池をさらに備える照明装置が開示されている。このように、照明装置が蓄電池を備えることで、通常時には、外部電源から供給される電力によって光源を発光させ、停電時等の非常時には、充電池から供給される電力によって光源を発光させるようにしている。
【先行技術文献】
【特許文献】
【０００４】
【特許文献１】特開２０１５−０１５２６４号公報
【発明の概要】
【発明が解決しようとする課題】
【０００５】
しかしながら、上記従来の技術では、蓄電池が収容された筐体を光源が収容された本体ケースに外付けしたり、本体ケース内に内蔵したりすることで、蓄電池を備える照明装置を形成している。そのため、蓄電池を交換する際には、筐体自体をケース本体から取り外した状態で蓄電池を交換する必要があり、蓄電池の交換作業に手間がかかってしまう。
【０００６】
そこで、本開示は、蓄電池の交換作業性をより向上させることのできる照明装置を得ることを目的とする。
【課題を解決するための手段】
【０００７】
本開示にかかる照明装置は、光源と、前記光源に予備の電力を供給する蓄電池と、前記光源および前記蓄電池が収容される収容空間が形成され、被設置部に設置されるケースと、を備えている。また、前記収容空間は、前記光源が収容される光源室と、前記光源室とは区画され、前記蓄電池が収容される電池室と、を備えている。また、前記ケースは、前記光源室が形成された光源室側のケース部と、前記電池室が形成され、前記光源室側のケース部と一体的に形成された電池室側のケース部と、を備えている。また、前記光源室側のケース部は、前記光源から出射された光を外部に照射する照射部を備えている。そして、前記電池室側のケース部は、前記ケースを前記被設置部に設置した状態で前記蓄電池の出し入れが可能な開口部が形成された電池室側のケース本体と、前記電池室側のケース本体の開口部を開閉可能に覆う電池室側のパネルと、を備えている。
【発明の効果】
【０００８】
本開示によれば、蓄電池の交換作業性をより向上させることのできる照明装置を得ることができる。
【図面の簡単な説明】
【０００９】
【図１】本実施形態にかかる照明装置をトンネルに設置した状態を模式的に示す図である。
【図２】本実施形態にかかる照明装置を模式的に示す図であって、照明装置を上側から視た斜視図である。
【図３】本実施形態にかかる照明装置を模式的に示す図であって、照明装置を下側から視た斜視図である。
【図４】本実施形態にかかる照明装置を模式的に示す図であって、照明装置の平面図である。
【図５】本実施形態にかかる照明装置を模式的に示す図であって、（ａ）は照明装置の裏面図、（ｂ）は照明装置の側面図である。
【図６】本実施形態にかかる照明装置を模式的に示す図であって、（ａ）は光源室側のケース部の正面図、（ｂ）は電池室側のケース部の正面図である。
【図７】本実施形態にかかる照明装置を模式的に示す図であって、光源室側のケース部と電池室側のケース部とに分解して示す斜視図である。
【図８】本実施形態にかかる電池室側のケース部を模式的に示す分解斜視図である。
【図９】本実施形態にかかる光源室側のケース部を模式的に示す分解斜視図である。
【図１０】本実施形態にかかるＬＥＤモジュールを模式的に示す図であって、（ａ）はＬＥＤモジュールの斜視図、（ｂ）はＬＥＤモジュールの分解斜視図である。
【図１１】本実施形態にかかる照明装置を模式的に示す配線図である。
【図１２】本実施形態にかかる照明装置の調光状態の一例を示す図である。
【発明を実施するための形態】
【００１０】
以下、本実施にかかる照明装置について、図面を参照しながら詳細に説明する。なお、以下では、照明装置として、トンネル内の天井面等に設置される屋外用の照明装置を例示するとともに、光源としてＬＥＤ光源を用いたものを例示する。また、以下では、トンネルの天井面に設置した状態における照明装置の天井面側を照明装置の下側、照射部側を照明装置の上側として説明する。
【００１１】
本実施形態にかかる照明装置１０は、図１に示すように、トンネル１の天井面（被設置部）１ａに設置されており、トンネル１内の路面２を照射することで、トンネル１内における車両３の走行を支援するものである。
【００１２】
トンネル１内には、複数の照明装置１０が道路の延伸方向に沿って略等間隔に配置されており、これらの複数の照明装置１０には、商用電源等の外部電源から電力が供給されるようになっている。さらに、照明装置１０は、停電時等、外部電源から光源３０への電力の供給が停止した場合に、光源３０に電力を供給可能な蓄電池７０を備えており、停電時等に、光源３０への電力供給源が蓄電池７０に切り替えられるようにしている。
【００１３】
この照明装置１０は、水平方向に細長い略直方体状のケース２０を備えている。このケース２０の内部には収容空間Ｓ１が形成されており、ケース２０の収容空間Ｓ１内には光源３０および蓄電池７０が配置されている（図２および図４参照）。そして、光源３０から出射した光が、ケース２０に形成された照射部（後述する光源室側のパネル２３５）からケース２０の外部に照射されるようになっている。
【００１４】
このとき、照射部（光源室側のパネル２３５）から照射される光が路面２に向けて照射されるように、照明装置１０が天井面１ａに設置されている。具体的には、ケース２０の長手方向の両端には、略Ｌ字状をした天井面１ａへの取付用ブラケット９１がそれぞれ取り付けられている。そして、図示せぬボルトを取付用ブラケット９１に形成された長孔９１ａに挿入して天井面１ａに取り付けることで、照明装置１０が天井面１ａに設置されるようにしている。
【００１５】
このように、本実施形態では、ケース２０の長手方向を道路の延伸方向に略一致させるとともに、照射部（光源室側のパネル２３５）を路面２に向けた状態で、各照明装置１０をトンネル１の天井面１ａに設置している。そして、各照明装置１０の照射部（光源室側のパネル２３５）を介して照射された光によって道路の路面２やトンネル１内の車両３が照射されるようにしている。
【００１６】
次に、本実施形態にかかる照明装置１０の具体的な構成について、主に図２〜図１０を用いて説明する。
【００１７】
照明装置１０は、上述したように、略直方体状をしたケース２０を備えている。このケース２０は、例えば、アルミニウム等の金属材料を用いて形成することができる。
【００１８】
さらに、本実施形態では、ケース２０は、外郭を構成する外壁部２２と、収容空間Ｓ１を２つの空間に区画する隔壁部２１と、を備えている。そして、一方の空間に光源３０が収容されており、他方の空間に蓄電池７０が収容されている。このように、隔壁部２１によって区画された一方の空間が、光源３０が収容される光源室Ｓ２となっており、他方の空間が、蓄電池７０が収容される電池室Ｓ３となっている。すなわち、ケース２０に形成される収容空間Ｓ１は、隔壁部２１によって光源室Ｓ２と電池室Ｓ３とに区画されている。
【００１９】
さらに、本実施形態では、ケース２０は、光源室側のケース部２３０と、光源室側のケース部２３０とは別部品で構成された電池室側のケース部２４０と、を備えている。そして、光源室側のケース部２３０と電池室側のケース部２４０とを一体化させることでケース２０が形成されている。
【００２０】
なお、光源室側のケース部２３０および電池室側のケース部２４０は、水平方向に細長い形状をしている。
【００２１】
光源室側のケース部２３０は、上方に開口する開口部２３１ａが形成された光源室側のケース本体２３１を備えている。この光源室側のケース本体２３１は、長手方向の両端が開口した光源室側のベース部２３２と、光源室側のベース部２３２の長手方向の開口を塞くエンドパネル２３３およびエンドパネル２３４で上方に開口した略箱状に形成されている。
【００２２】
本実施形態では、光源室側のベース部２３２は、底壁部２３２ａおよび一対の側壁部２３２ｂとで略Ｕ字状に形成されている。そして、エンドパネル２３３が光源室側のベース部２３２の長手方向の一方側の開口を塞いでおり、このエンドパネル２３３がケース２０の端部となっている。また、エンドパネル２３４が光源室側のベース部２３２の長手方向の他方側の開口を塞いでおり、このエンドパネル２３４が隔壁部２１の一部を構成している。
【００２３】
そして、光源室側のケース本体２３１に形成された開口部２３１ａが、透光性を有し、光源部３０から出射した光を透過可能な光源室側のパネル２３５によって開閉可能に閉塞されるようにしている。
【００２４】
光源室側のパネル２３５は、透明な平板であり、開口部２３１ａよりも一回り小さい長方形状をしている。この光源室側のパネル２３５は、例えば、ガラス、樹脂材料等を用いて形成することができる。
【００２５】
そして、光源室側のパネル２３５の周縁部を、光源室側のケース本体２３１における開口部２３１ａの周縁領域に外側（上側）から接触させることで、開口部２３１ａが光源室側のパネル２３５によって閉塞されるようにしている。光源室側のパネル２３５は、図９に示すように、ボルト９２を用いて光源室側のケース本体２３１に取り付けられている。すなわち、光源室側のパネル２３５は、光源室側のケース本体２３１に取り外し可能に取り付けられている。
【００２６】
また、光源室側のケース本体２３１における開口部２３１ａの周縁部には段部が形成されており、この段部には防塵用のパッキン２３６が配置されている。このように、パッキン２３６を介して開口部２３１ａを光源室側のパネル２３５によって閉塞させることで、光源室側のパネル２３５と光源室側のケース本体２３１との間から水や埃等が光源室Ｓ２内に侵入してしまうのが抑制されるようにしている。
【００２７】
このように、本実施形態では、光源室側のケース部２３０は、上方に開口する開口部２３１ａが形成された光源室側のケース本体２３１と、開口部２３１ａを開閉可能に覆う光源室側のパネル２３５と、を備えている。
【００２８】
一方、電池室側のケース部２４０は、上方に開口する開口部２４１ａが形成された電池室側のケース本体２４１を備えている。この電池室側のケース本体２４１は、長手方向の両端が開口した電池室側のベース部２４２と、電池室側のベース部２４２の長手方向の開口を塞くエンドパネル２４３およびエンドパネル２４４で上方に開口した略箱状に形成されている。
【００２９】
本実施形態では、電池室側のベース部２４２は、底壁部２４２ａおよび一対の側壁部２４２ｂとで略Ｕ字状に形成されている。そして、エンドパネル２４３が電池室側のベース部２４２の長手方向の一方側の開口を塞いでおり、このエンドパネル２４３がケース２０の端部となっている。また、エンドパネル２４４が電池室側のベース部２４２の長手方向の他方側の開口を塞いでおり、このエンドパネル２４４が隔壁部２１の一部を構成している。
【００３０】
そして、電池室側のケース本体２４１に形成された開口部２４１ａが、電池室側のパネル２４５によって開閉可能に閉塞されるようにしている。
【００３１】
電池室側のパネル２４５は、平板状をしており、開口部２４１ａよりも一回り小さい長方形状をしている。この電池室側のパネル２４５は、例えば、アルミニウム等の金属材料を用いて形成することができる。
【００３２】
そして、電池室側のパネル２４５の周縁部を、電池室側のケース本体２４１における開口部２４１ａの周縁領域に外側（上側）から接触させることで、開口部２４１ａが電池室側のパネル２４５によって閉塞されるようにしている。電池室側のパネル２４５も、図８に示すように、ボルト９２を用いて電池室側のケース本体２４１に取り付けられている。すなわち、電池室側のパネル２４５も、電池室側のケース本体２４１に取り外し可能に取り付けられている。さらに、電池室側のパネル２４５は、光源室側のパネル２３５とは別個独立してケース２０から取り外すことができるようになっている。
【００３３】
また、電池室側のケース本体２４１における開口部２４１ａの周縁部には段部が形成されており、この段部には防塵用のパッキン２４６が配置されている。このように、パッキン２４６を介して開口部２４１ａを電池室側のパネル２４５によって閉塞させることで、電池室側のパネル２４５と電池室側のケース本体２４１との間から水や埃等が電池室Ｓ３内に侵入してしまうのが抑制されるようにしている。
【００３４】
このように、本実施形態では、電池室側のケース部２４０は、上方に開口する開口部２４１ａが形成された電池室側のケース本体２４１と、開口部２４１ａを開閉可能に覆う電池室側のパネル２４５と、を備えている。
【００３５】
そして、このような構成をした光源室側のケース部２３０と電池室側のケース部２４０とを一体化させることで、上述したケース２０が形成されている。
【００３６】
具体的には、光源室側のケース部２３０のエンドパネル２３４と電池室側のケース部２４０のエンドパネル２４４とを重ね合わせた状態で、エンドパネル２３４とエンドパネル２４４とを図示せぬボルト等によって固定している。こうすることで、光源室側のケース部２３０と電池室側のケース部２４０とを一体化させている。
【００３７】
このとき、図７に示すように、エンドパネル２３４とエンドパネル２４４との間にパッキン２５０を介在させており、エンドパネル２３４とエンドパネル２４４との間に隙間が形成されてしまうのが抑制されるようにしている。
【００３８】
また、エンドパネル２３４には挿通孔２３４ａが形成されており、エンドパネル２４４には挿通孔２４４ａが形成されている。さらに、パッキン２５０にも挿通孔２５０ａが形成されている。そして、光源室側のケース部２３０と電池室側のケース部２４０とを一体化させた際には、これらの挿通孔２３４ａ，２４４ａ，２５０ａが互いに連通するようにしている。
【００３９】
したがって、本実施形態では、光源室側のケース部２３０と電池室側のケース部２４０とを一体化させてケース２０を形成した際には、収容空間Ｓ１が、エンドパネル２３４、エンドパネル２４４およびパッキン２５０によって２つの空間に区画されることとなる。すなわち、エンドパネル２３４、エンドパネル２４４およびパッキン２５０が、収容空間Ｓ１を光源室Ｓ２と電池室Ｓ３とに区画する隔壁部２１となっている。
【００４０】
また、光源室Ｓ２および電池室Ｓ３が、互いに連通する挿通孔２３４ａ，２４４ａ，２５０ａによって連通されることになる。すなわち、エンドパネル２３４、エンドパネル２４４およびパッキン２５０に形成された挿通孔２３４ａ，２４４ａ，２５０ａが、光源室Ｓ２と電池室Ｓ３とを連通する連通孔２１ａとなっている。
【００４１】
さらに、本実施形態では、パッキン２３６を介して開口部２３１ａを光源室側のパネル２３５によって閉塞させており、パッキン２４６を介して開口部２４１ａを電池室側のパネル２４５によって閉塞させている。そして、隔壁部２１に形成された連通孔２１ａが、パッキン２５０によって、隔壁部２１に形成された連通孔２１ａにケース２０の外部から水や埃等が侵入してしまうのが抑制されるようにしている。このように、本実施形態では、ケース２０を形成した状態で収容空間Ｓ１が気密性を有するようにしている。
【００４２】
そして、ケース２０内に形成された収容空間Ｓ１内に光源３０および蓄電池７０が収容されている。さらに、収容空間Ｓ１内には、電源ユニット４０、制御ユニット５０および停電用ブロック６０等の電子部品が収容されている。
【００４３】
本実施形態では、光源３０、電源ユニット４０、制御ユニット５０および停電用ブロック６０が光源室Ｓ２内に配置されている。
【００４４】
具体的には、光源室側のケース部２３０には、エンドパネル２３４側から順に、停電用ブロック６０、電源ユニット４０、制御ユニット５０が配置されており、これらの電子部品の上方に光源３０が配置されている。
【００４５】
光源３０は、電子部品を跨ぐように配置された載置台３２０の上にＬＥＤモジュール３１０を載置することで形成されており、３つの光源３０が、光源室側のケース部２３０の長手方向に沿って並ぶように配置されている。
【００４６】
ＬＥＤモジュール３１０は、載置台３２０の上に載置される略平板状の基板（基部）３１１と、基板（基部）３１１に実装される複数のＬＥＤ素子（半導体素子）３１２と、を備えている。さらに、ＬＥＤモジュール３１０は、基板（基部）３１１の上に配置されて、ＬＥＤ素子（半導体素子）３１２から出射した光を拡散させるレンズ（光学部材）３１３を備えている。
【００４７】
このような構成とすることで、ＬＥＤ素子（半導体素子）３１２から出射した光は、レンズ（光学部材）３１３によって拡散されて、光源室側のパネル（照射部）２３５からケース２０の外部に照射されるようにしている。なお、光源３０は、主光軸方向が所定の範囲で回動するように光源室Ｓ２内に収容させるようにしてもよい。
【００４８】
また、光源室側のケース本体２３１には、上部のほぼ全域が開口するように開口部２３１ａが形成されており、この開口部２３１ａから、光源３０、電源ユニット４０、制御ユニット５０および停電用ブロック６０の出し入れが行えるようになっている。
【００４９】
このように、光源室側のケース部２３０は、長手方向を有する中空の直方体状に形成されており、道路の延伸方向に沿う長さと、天井面１ａに沿う水平方向の奥行きと、高さと、を有している。この光源室側のケース部２３０の各寸法は、例えば、長さを８２ｃｍ、奥行きを１６ｃｍ、高さを９．８ｃｍ程度とすることができる。
【００５０】
一方、蓄電池７０は、電池室Ｓ３内に配置されており、この蓄電池７０は、電池室側のケース本体２４１の上部のほぼ全域が開口するように形成された開口部２４１ａから出し入れが行えるようになっている。本実施形態では、開口部２４１ａは、略円柱状の蓄電池７０を横向きにした状態で挿入することができる大きさとなるように形成されている。
【００５１】
すなわち、電池室側のケース部２４０も、長手方向を有する中空の直方体状に形成されており、道路の延伸方向に沿う長さと、天井面１ａに沿う水平方向の奥行きと、高さと、を有している。この電池室側のケース部２４０の各寸法は、例えば、長さを３６．５ｃｍ、奥行きを１６ｃｍ、高さを９．８ｃｍ程度とすることができる。
【００５２】
このように、略直方体状の光源室側のケース部２３０および略直方体状の電池室側のケース部２４０は、奥行きおよび高さが略同一の寸法となるように形成するのが好ましい。こうすれば、光源室側のケース部２３０と電池室側のケース部２４０とを一体化させた状態で、光源室側のケース部２３０の外面と電池室側のケース部２４０の外面とが略面一となるようにすることができる。すなわち、図６に示すように、光源室側のケース部２３０の底面２３０ａと電池室側のケース部２４０の底面２４０ａとを略面一とし、側面２３０ｂと側面２４０ｂとを略面一とし、上面２３０ｃと上面２４０ｃとを略面一とすることができる。なお、本実施形態では、エンドパネル２３３の端面が光源室側のケース部２３０の端面２３０ｄとなっており、エンドパネル２４３の端面が電池室側のケース部２４０の端面２４０ｄとなっている。
【００５３】
次に、本実施形態にかかる照明装置１０の配線の一例を、主に図１１を用いて説明する。
【００５４】
図１１に示すように、３つの光源３０は、リード線８１により直列に接続されており、このリード線８１を介して電源ユニット４０に電気的に接続されている。
【００５５】
また、蓄電池７０は、リード線８２に電気的に接続されており、停電用ブロック６０がリード線８３に電気的に接続されている。そして、リード線８２の先端に設けられたコネクタ８２ａをリード線８３の先端に設けられたコネクタ８３ａに嵌合させることで、蓄電池７０と停電用ブロック６０とが電気的に接続されている。
【００５６】
また、停電用ブロック６０は、リード線８８を介して電源ユニット４０に電気的に接続されている。さらに、停電用ブロック６０には電源ケーブル８６が電気的に接続されており、この電源ケーブル８６は、図４、図５および図１１に示すように、ケース２０の端部となるエンドパネル２３３に設けられた引出部８７を介して外部に引き出されている。そして、電源ケーブル８６の先端に設けられたコネクタ８６ａを商用電源等の外部電源に接続することで、停電用ブロック６０および電源ユニット４０に外部電源から電力が供給されるようにしている。
【００５７】
一方、制御ユニット５０には調光ケーブル８４が電気的に接続されており、この調光ケーブル８４は、図４、図５および図１１に示すように、ケース２０の端部となるエンドパネル２３３に設けられた引出部８５を介して外部に引き出されている。そして、調光ケーブル８４の先端に設けられたコネクタ８４ａを調光スイッチ等に接続することで、調光スイッチ等からの調光信号が制御ユニット５０に入力されるようにしている。
【００５８】
さらに、電源ユニット４０と制御ユニット５０とが、信号線８９ａおよび電力供給線８９ｂを介して電気的に接続されている。そして、制御ユニット５０に入力された調光信号が信号線８９ａを介して電源ユニット４０に入力されるようにしている。また、電力供給線８９ｂを介して電源ユニット４０から制御ユニット５０に電力が供給されるようにしている。
【００５９】
このような配線構造とすることで、通常時には、外部電源から供給された電力が停電用ブロック６０から電源ユニット４０へと供給されて、光源３０を発光させるようにしている。このとき、外部電源から供給された電力の一部が蓄電池７０に供給されて蓄電池７０が蓄電されるようにするのが好ましい。
【００６０】
一方、停電時等、外部電源からの電力の供給が停止した場合には、停電用ブロック６０が外部電源からの電力の供給が停止したことを認識して、蓄電池７０から電源ユニットに電力が供給されるように切り替える。こうすることで、蓄電池７０から供給される電力によって光源３０を発光させるようにしている。
【００６１】
また、本実施形態では、調光スイッチ等を操作することで、照明装置１０の明るさを調節できるようになっている。本実施形態では、制御ユニット５０を２つの調光スイッチに接続し、２つの調光スイッチのオン・オフを操作することで、段階的に明るさを変えられるようにしたものを例示している。具体的には、１つの調光スイッチをオンにした場合に、明るさが約半分となるようにし、２つの調光スイッチをオンにした場合に、明るさが約４分の１となるようにしたものを例示している。こうすることで、例えば、図１２に示すように、トンネル１の天井面１ａに設置した照明装置１０の明るさを、昼間には１００％、夜間には５０％、深夜には２５％となるように変えることができる。なお、調光スイッチのオン・オフの操作は手動で行うようにしてもよいし、自動で切り替わるようにしてもよい。
【００６２】
以上説明したように、本実施形態にかかる照明装置１０は、光源３０と、光源３０に予備の電力を供給する蓄電池７０と、光源３０および蓄電池７０が収容される収容空間Ｓ１が形成され、天井面（被設置部）１ａに設置されるケース２０と、を備えている。
【００６３】
また、収容空間Ｓ１は、光源３０が収容される光源室Ｓ２と、光源室Ｓ２とは区画され、蓄電池７０が収容される電池室Ｓ３と、を備えている。
【００６４】
また、ケース２０は、光源室Ｓ２が形成された光源室側のケース部２３０と、電池室Ｓ３が形成され、光源室側のケース部２３０と一体的に形成された電池室側のケース部２４０と、を備えている。
【００６５】
また、光源室側のケース部２３０は、光源３０から出射された光を外部に照射する照射部２３５を備えている。
【００６６】
また、電池室側のケース部２４０は、ケース２０を天井面（被設置部）１ａに設置した状態で蓄電池７０の出し入れが可能な開口部２４１ａが形成された電池室側のケース本体２４１を備えている。さらに、電池室側のケース部２４０は、電池室側のケース本体２４１の開口部２４１ａを開閉可能に覆う電池室側のパネル２４５と、を備えている。
【００６７】
こうすれば、ケース２０を天井面（被設置部）１ａに設置した状態のまま、蓄電池７０の出し入れが可能な開口部２４１ａを電池室側のパネル２４５によって開閉することができるようになる。すなわち、ケース２０を天井面（被設置部）１ａに設置した状態で蓄電池７０の交換を行うことができるようになる。その結果、蓄電池７０の交換作業性をより向上させることができるようになる。
【００６８】
また、本実施形態では、電池室側のケース部２４０における上側（被設置部１ａに設置される側とは反対側）に電池室側のパネル２４５が配置されている。
【００６９】
こうすれば、電池室側のケース本体２４１の開口部２４１ａが、上方（被設置部１ａから離れる方向：略垂直方向の上方）に開口することとなる。その結果、より容易に蓄電池７０の出し入れができるようになって、蓄電池７０の交換作業性をより一層向上させることができるようになる。
【００７０】
また、本実施形態では、電池室側のパネル２４５が金属材料で形成されている。
【００７１】
こうすれば、電池室側のパネル２４５の強度を向上させることができ、電池室側のパネル２４５が破損してしまうのを抑制することができるようになる。
【００７２】
また、本実施形態では、電池室側のパネル２４５は、ボルト９２によって電池室側のケース本体２４１に取り外し可能に取り付けられている。
【００７３】
このように、電池室側のパネル２４５を電池室側のケース本体２４１に取り付ける際にボルト９２を用いるようにすれば、ラッチや蝶番等を用いた場合のように、取付用器具の配置スペースを大きく確保する必要がなくなる。その結果、取付用器具（ボルト９２）の配置スペースをより小さくすることができ、電池室側のケース部２４０のコンパクト化を図ることができる。
【００７４】
また、本実施形態では、光源室側のケース部２３０は、ケース２０を天井面（被設置部）１ａに設置した際に、上側（被設置部１ａに設置される側とは反対側）に開口する光源室側のケース本体２３１を備えている。さらに、光源室側のケース部２３０は、光透過性を有し、光源室側のケース本体２３１の開口部２３１ａを覆う照射部としての光源室側のパネル２３５を備えている。
【００７５】
こうすれば、ケース２０を天井面（被設置部）１ａに設置した状態で光源３０の交換を行うことができるようになる。
【００７６】
また、光源室側のパネル２３５をガラス材料で形成してもよい。
【００７７】
このように、ガラス材料で光源室側のパネル２３５を形成すれば、ケース２０の外部への光照射性をより向上させることができるようになる。なお、ガラス材料で光源室側のパネル２３５を形成すると、光源室側のパネル２３５が破損してしまうおそれがあるが、本実施形態では、光源室側のパネル２３５を取り外すことなく蓄電池７０の交換を行うことができる。したがって、本実施形態のように、比較的壊れやすい光源室側のパネル２３５を用いた場合であっても、蓄電池７０の交換の際に光源室側のパネル２３５を取り外す必要がないため、光源室側のパネル２３５が破損してしまうのを抑制することができる。
【００７８】
また、本実施形態では、光源室側のパネル２３５は、ボルト９２によって光源室側のケース本体２３１に取り外し可能に取り付けられている。
【００７９】
このように、光源室側のパネル２３５を光源室側のケース本体２３１に取り付ける際にボルト９２を用いるようにすれば、ラッチや蝶番等を用いた場合のように、取付用器具の配置スペースを大きく確保する必要がなくなる。その結果、取付用器具（ボルト９２）の配置スペースをより小さくすることができ、光源室側のケース部２３０のコンパクト化を図ることができる。
【００８０】
また、本実施形態では、ケース２０は、収容空間Ｓ１を光源室Ｓ２と電池室Ｓ３とに区画する隔壁部２１を備えている。また、収容空間Ｓ１が気密性を有している。そして、隔壁部２１には、光源室Ｓ２と電池室Ｓ３とを連通する連通孔２１ａが形成されている。
【００８１】
このように、収容空間Ｓ１を気密状態とすれば、ケース２０を天井面（被設置部）１ａに設置した状態のまま、ケース２０に直接水をかけることでケース２０の清掃を行うことができる。すなわち、ケース２０の清掃をより容易に行うことができるようになる。また、収容空間Ｓ１を気密状態とすれば、水や埃等がケース２０内に侵入してしまうのを抑制することができるようになる。そのため、トンネル内や屋外等の周辺環境があまりよくない場所に照明装置１０を設置したとしても、光照射性が低下してしまうのを抑制することができるようになる。
【００８２】
また、光源室Ｓ２と電池室Ｓ３とを区画する隔壁部２１に光源室Ｓ２と電池室Ｓ３とを連通する連通孔２１ａを形成することで、蓄電池７０から発生するガスを光源室Ｓ２に逃がすことができるようになる。すなわち、蓄電池７０から発生するガスが電池室Ｓ３内に充満してしまうのを抑制することができる。その結果、蓄電池７０から発生するガスによって電池室Ｓ３の室圧（ガス圧：気圧）が増大してしまうのを抑制することができるようになる。
【００８３】
また、本実施形態では、光源室側のケース部２３０と電池室側のケース部２４０とを一体化させた状態で、光源室側のケース部２３０の外面と電池室側のケース部２４０の外面とが略面一となる。なお、本実施形態では、光源室側のケース部２３０の底面２３０ａ、側面２３０ｂおよび上面２３０ｃが、光源室側のケース部２３０の外面に相当している。また、電池室側のケース部２４０の底面２４０ａ、側面２４０ｂおよび上面２４０ｃが電池室側のケース部２４０の外面に相当している。
【００８４】
こうすれば、光源室側のケース部２３０と電池室側のケース部２４０との連結部分に段差が形成されてしまうのを抑制することができる。その結果、ケース２０の外形が複雑化してしまうのが抑制され、見栄え、清掃しやすさ、天井面（被設置部）１ａへの設置しやすさ、持ち運びやすさ、梱包しやすさ等を向上させることができるようになる。
【００８５】
以上、本開示の好適な実施形態について説明したが、上記実施形態には限定されず、種々の変形が可能である。
【００８６】
例えば、上記実施形態では、照明装置として、トンネルの天井面に設置されるトンネル灯を例示したが、これに限定されるものではなく、地中等に埋め込み、庭木や街路樹等を下から照射する照明装置に本開示を適用することも可能である。
【００８７】
また、上記実施形態では、ＬＥＤを光源として用いたものを例示したが、半導体光源等を用いることも可能である。
【００８８】
また、上記実施形態では、光源室側のケース部２３０とは別部品で構成された電池室側のケース部２４０を光源室側のケース部２３０に一体化させることでケース２０を形成したものを例示している。しかしながら、ケース２０の構成はこのような構成に限られるものではない。例えば、一体に形成された外壁部２２に、収容空間Ｓ１を２つの空間に区画する隔壁部２１を設けることで、光源室Ｓ２と電池室Ｓ３とに区画されたケース２０を形成することも可能である。
【００８９】
また、光源やケース、その他細部のスペック（形状、大きさ、レイアウト等）も適宜に変更可能である。
【符号の説明】
【００９０】
１ａ  天井面（被設置部）
１０  照明装置
２０  ケース
２１  隔壁部
２１ａ  連通孔
２３０  光源室側のケース部
２３１  光源室側のケース本体
２３１ａ  開口部
２３５  光源室側のパネル
２４０  電池室側のケース部
２４１  電池室側のケース本体
２４１ａ  開口部
２４５  電池室側のパネル
３０  光源
９２  ボルト
Ｓ１  収容空間
Ｓ２  光源室
Ｓ３  電池室
【図１】
2019071228.tif 000003
【図２】
2019071228.tif 000004
【図３】
2019071228.tif 000005
【図４】
2019071228.tif 000006
【図５】
2019071228.tif 000007
【図６】
2019071228.tif 000008
【図７】
2019071228.tif 000009
【図８】
2019071228.tif 000010
【図９】
2019071228.tif 000011
【図１０】
2019071228.tif 000012
【図１１】
2019071228.tif 000013
【図１２】
2019071228.tif 000014